(57)【要約】【課題】遊技機の盤面の釘が存在しない部分においても遊技機の盤面の傾斜角を測定できるようにする技術を提供する。【解決手段】傾斜計１０は、傾斜計本体１１に接続された上側の設置用脚３０と下側の設置用脚４０を備える。上側の設置用脚３０を盤面に当接させ、傾斜計１０にかかる重力によりその真下に盤面に当接した下側の設置用脚４０が移動した状態で、盤面の傾斜角が測定される。釘のない部分では、盤面に固定物を仮固定する。その状態で、上側の設置用脚３０を固定物に係止して盤面の傾斜角を測定する。傾斜計１０はその上方に伸びる線状体１１０を備える。線状体１１０の先端を、遊技機、島等の所定の場所に固定することで、設置用脚３０から固定物に過度の荷重がかかることを防げる。【選択図】図３
2014077705.tif 000002
【特許請求の範囲】
【請求項１】
少なくとも１つの釘が盤面に対して略垂直に打ち込まれている遊技機の盤面の傾斜角を測定する傾斜計であり、
前記釘より長く、使用時において前記盤面にその先端が当接させられる、略棒状の複数の設置用脚と、
複数の前記設置用脚の基端が接続されており、複数の前記設置用脚の先端が前記盤面に当接させられることにより前記盤面に対する距離が一定に決定されるようになっている傾斜計本体と、
前記傾斜計本体に対して固定の位置関係にある仮想の軸である仮想軸の傾斜角を測定する、前記傾斜計本体に設けられた傾斜角測定手段と、
を備えているとともに、
前記設置用脚のうちの１つは、その使用時において他の設置用脚よりも高い位置で使用されることが予定されているとともに、前記釘のうちの任意のものに対して固定又は係止できるようにされた基準設置用脚とされている、
傾斜計を用いて、遊技機の盤面の傾斜角を測定する方法であって、
前記基準設置用脚を当接しようとする部分に釘が存在する部分における盤面の傾斜角を測定しようとする場合には、
前記基準設置用脚を任意の釘に固定又は係止させるとともに、他の設置用脚を前記盤面に当接させ、前記傾斜計を重力で安定させることで、前記基準設置用脚に対する前記傾斜計本体の向きを一意に定めた状態で、前記傾斜角測定手段により前記盤面の傾斜角を測定し、
前記基準設置用脚を当接しようとする部分に釘が存在しない部分における盤面の傾斜角を測定しようとする場合には、
前記盤面に離脱可能に付着された所定の固定物の上面に前記基準設置用脚の下面を係止させ、且つ前記基準設置用脚の先端を前記盤面に当接させるとともに、他の設置用脚を前記盤面に当接させ、前記傾斜計を重力で安定させることで、前記基準設置用脚に対する前記傾斜計本体の向きを一意に定めた状態で、前記傾斜角測定手段により前記盤面の傾斜角を測定する、
方法。    
【請求項２】
少なくとも１つの釘が盤面に対して略垂直に打ち込まれている遊技機の盤面の傾斜角を測定する傾斜計であって、
前記釘より長く、使用時において前記盤面にその先端が当接させられる、略棒状の複数の設置用脚と、
複数の前記設置用脚の基端が接続されており、複数の前記設置用脚の先端が前記盤面に当接させられることにより前記盤面に対する距離が一定に決定されるようになっている傾斜計本体と、
前記傾斜計本体に対して固定の位置関係にある仮想の軸である仮想軸の傾斜角を測定する、前記傾斜計本体に設けられた傾斜角測定手段と、
を備えており、
前記設置用脚のうちの１つは、その使用時において他の設置用脚よりも高い位置で使用されることが予定されているとともに、前記釘のうちの任意のものに対して固定又は係止できるようにされた基準設置用脚とされており、
前記基準設置用脚を任意の釘に固定又は係止させるとともに、他の設置用脚を前記盤面に当接させ、前記傾斜計を重力で安定させることで、前記基準設置用脚に対する前記傾斜計本体の向きを一意に定めた状態で、前記傾斜角測定手段により前記盤面の傾斜角を測定できるようになっているとともに、
前記盤面に離脱可能に付着された所定の固定物の前記盤面に向かって下る傾斜が与えられた上面に前記基準設置用脚の下面を係止させるとともに、他の設置用脚を前記盤面に当接させ、前記傾斜計を重力で安定させることで、前記基準設置用脚に対する前記傾斜計本体の向きを一意に定めた状態で、前記傾斜角測定手段により前記盤面の傾斜角を測定できるようになっており、
前記基準設置用脚の下面には、前記固定物の上面に対する摩擦係数を小さくするための手段が設けられており、前記基準設置用脚は、当該手段を前記固定物の前記上面に載せたときに前記固定物の前記上面を前記盤面に向かって滑ることによりその先端が前記盤面に当接するようになっている、
傾斜計。
【請求項３】
少なくとも１つの釘が盤面に対して略垂直に打ち込まれている遊技機の盤面の傾斜角を測定する傾斜計であって、
前記釘より長く、使用時において前記盤面にその先端が当接させられる、略棒状の複数の設置用脚と、
複数の前記設置用脚の基端が接続されており、複数の前記設置用脚の先端が前記盤面に当接させられることにより前記盤面に対する距離が一定に決定されるようになっている傾斜計本体と、
前記傾斜計本体に対して固定の位置関係にある仮想の軸である仮想軸の傾斜角を測定する、前記傾斜計本体に設けられた傾斜角測定手段と、
前記傾斜計本体にその基端側が接続された、前記傾斜計本体からその先端までの長さが調節可能とされた線状体と、
を備えており、
前記設置用脚のうちの１つは、その使用時において他の設置用脚よりも高い位置で使用されることが予定されているとともに、前記釘のうちの任意のものに対して固定又は係止できるようにされた基準設置用脚とされており、
前記基準設置用脚を任意の釘に固定又は係止させるとともに、他の設置用脚を前記盤面に当接させ、前記傾斜計を重力で安定させることで、前記基準設置用脚に対する前記傾斜計本体の向きを一意に定めた状態で、前記傾斜角測定手段により前記盤面の傾斜角を測定できるようになっているとともに、
前記盤面に離脱可能に付着された所定の固定物の上面に前記基準設置用脚の下面を係止させるとともに、他の設置用脚を前記盤面に当接させ、且つ前記線状体の先端を前記基準設置用脚よりも上に位置する遊技機、或いは遊技機を固定する又は遊技機に固定された所定の機器に固定することにより、前記基準設置用脚から前記固定物に前記固定物が前記盤面から離脱するような力がかからないようにしつつ、前記傾斜計を重力で安定させることで、前記基準設置用脚に対する前記傾斜計本体の向きを一意に定めた状態で、前記傾斜角測定手段により前記盤面の傾斜角を測定できるようになっている、
傾斜計。
【請求項４】
前記線状体の先端には、前記線状体を前記基準設置用脚よりも上に位置する遊技機、或いは遊技機を固定する又は遊技機に固定された所定の機器に固定するのに用いられる線状体固定手段が取付けられている、
請求項３記載の傾斜計。
【請求項５】
前記線状体固定手段は、所定の隙間に入れたときに変形して前記隙間に係止される板バネである、
請求項４記載の傾斜計。
【請求項６】
前記線状体は、その基端が前記傾斜計本体から露出しており、且つその基端に前記線状体をその基端側に引っ張るために用いられるループが設けられている、
請求項３記載の傾斜計。
【請求項７】
前記基準設置用脚は、
弾性体によって前記傾斜計本体に向かう方向に付勢力を与えるようにされ、且つ前記弾性体によって与えられる付勢力に抗する外力を加えることにより当該基準設置用脚に沿って前記傾斜計本体から離れる方向に移動できるようにされている可動体を備えており、
前記可動体には、当該可動体が設けられている前記基準設置用脚の前記先端が前記盤面に当接させられた状態で、前記外力が加えられていない場合には、前記釘の釘傘よりも前記傾斜計本体に近い位置にあり、前記外力が加えられた場合には、前記釘の釘傘よりも前記傾斜計本体から遠い移置にまで移動させることができるようになっている接面が設けられており、
前記可動体が設けられている前記基準設置用脚の前記先端を前記釘の近辺の前記盤面に当接させた状態で、前記可動体に前記外力を加えて当該釘の釘傘よりも前記傾斜計本体から遠い位置にまで移動させた前記接面を当該釘の釘傘の前記盤面側の面に係止させ、前記弾性体による付勢力によって前記接面を前記釘傘に対して前記傾斜計本体の方向に付勢させることで、前記設置用脚を前記盤面に固定することができるようになっている、
請求項２又は３記載の傾斜計。
【請求項８】
前記設置用脚は、前記盤面に設けられた、玉が移動できる範囲を確定する仕切り板の盤面からの高さを超える長さとなっている、
請求項２又は３記載の傾斜計。
【請求項９】
前記固定物の上面に対する摩擦係数を小さくするための前記手段は、前記基準設置用脚の下面に設けられた、前記固定物の前記上面と点接触、又は線接触を行うような形状となっている、
請求項２又は３記載の傾斜計。
【請求項１０】
前記基準設置用脚の先端は丸められている、
請求項２又は３記載の傾斜計。
【発明の詳細な説明】
【技術分野】
【０００１】
本願発明は、パチンコ遊技機の垂直を計測し、或いは垂直からの傾斜角度を計測することに用いる傾斜計に関する。
【背景技術】
【０００２】
パチンコ遊技機（なお、本願では、パチンコ遊技機を単に「遊技機」と称する場合がある。）では、その盤面に適度な傾斜を与えることによって出玉の調整を行えることが知られている。パチンコ遊技機の盤面の設置角度が変わることにより、玉の落下スピードや盤面にはめられた役物の角度が変わることにより、盤面を動く玉の釘による弾かれ方や、役物の通過の仕方が変わることを利用したものである。パチンコ遊技機取付けの際に遊技機の盤面に適度な傾斜を与えたり、事後的に傾斜角の調整を行えるようにすることで、釘の調節を行った場合と同様の効果をより簡易に得られるようになり、出玉の調整を行える。
【０００３】
発明者らは、このような点を考慮して、特開昭６３−２２６３８５号、特開昭６３−２２６３８６号、特開平１０−８０５６３号、特開２００２−０６２１３１号、特開２０１１−１１５２８８などの出願をしている。これらは、パチンコ遊技機を、その傾斜角を可変としてパチンコ遊技機設置用ユニット（例えば、一般に、「島」と呼ばれる設備）に固定するための器具に関する。
【０００４】
これらの器具はそれぞれ有用であるが、これらの器具を使用するにあたっては、パチンコ遊技機の垂直を確認したり、その傾斜角を確認したりする必要に迫られることとなり、また計測の精度も求められることとなる。
そのような事情を考慮して、パチンコ遊技機の、例えば盤面の傾斜角を測定するための機器である傾斜計が従来から提案されている。本願出願人も、例えば、特開２００９−１９５５６４の傾斜計を提案している。
【０００５】
出願人の提案した上述の傾斜計は、大まかに言えば、以下のような構造をしている。即ち、この傾斜計は、使用時においてそれらの先端が遊技機の盤面に当接させられる略棒状の複数の設置用脚と、それら複数の設置用脚の基端が固定されている傾斜計本体と、傾斜計本体に設けられた、仮想の垂直な軸に対する角度を測定する傾斜角測定手段と、を備えている。
上述の複数の設置用脚は、遊技機の盤面に立設された釘よりもその長さが長くされており、それにより傾斜計本体は釘との干渉を避けられるようになっている。また、上述の設置用脚のうちの１つは、使用時に他の設置用脚よりも高い位置で遊技機の盤面に当接されることが予定されており、そのときその設置用脚は遊技機の盤面に立設された釘の一本に固定ないし係止されるようになっている。使用時に他の設置用脚よりも高い位置で遊技機の盤面に当接されることが予定されている設置用脚を釘の一本に固定ないし係止し、また、他の設置用脚の先端を盤面に当接させると、傾斜計の傾斜計本体は、重力によりある位置で安定する。その状態で、傾斜角測定手段は、それが設けられた傾斜計本体の向きが重力により常に一定の条件を充足するものとなっているから、遊技機の盤面の垂直方向からの傾斜角を正確に測定することができる。
【発明の概要】
【発明が解決しようとする課題】
【０００６】
しかしながら、以上のような傾斜計にも改良すべき点がないとはいえない。
上述の傾斜計は、既に述べたように、使用時に他の設置用脚よりも高い位置で遊技機の盤面に当接されることが予定されている設置用脚を有する。しかしながらこれは、裏を返せば、その設置用脚を固定ないし係止させる釘がない場合には、遊技機の盤面の傾斜角を測定できないということである。
【０００７】
例えば、近年の遊技機の中には、その盤面の特に向かって右側の部分に、釘が立設されていないものが多い。したがって、そのような遊技機においては、盤面の右半分については、その傾斜角の測定を行うことができない。
遊技機の盤面の傾斜角が盤面のいかなる部分においても同じであれば、遊技機の盤面の左側の傾斜角のみを測定できれば事が足りるが、実際はそうではない。遊技機の剛性は極めて高いということはなく、遊技機の右側と左側（或いは遊技機の盤面の右側と左側）とでその傾斜角が異なる、ということは往々にして存在する。
上述したように、遊技機の盤面の傾斜角は、出玉の調整の結果に影響を与えるものであるから、遊技機の盤面の如何なる部分でも遊技機の盤面の傾斜角の測定が行えるのが好ましいのは当然のことである。
【０００８】
本願発明は、遊技機の盤面の釘が存在しない部分においても遊技機の盤面の傾斜角を測定できるようにする技術を提供することをその課題とする。
【課題を解決するための手段】
【０００９】
本願発明者は、上述の課題を解決するため、以下のような発明を提案する。
本願発明者が提案するのは、少なくとも１つの釘が盤面に対して略垂直に打ち込まれている遊技機の盤面の傾斜角を測定する傾斜計であり、前記釘より長く、使用時において前記盤面にその先端が当接させられる、略棒状の複数の設置用脚と、複数の前記設置用脚の基端が接続されており、複数の前記設置用脚の先端が前記盤面に当接させられることにより前記盤面に対する距離が一定に決定されるようになっている傾斜計本体と、前記傾斜計本体に対して固定の位置関係にある仮想の軸である仮想軸の傾斜角を測定する、前記傾斜計本体に設けられた傾斜角測定手段と、を備えているとともに、前記設置用脚のうちの１つは、その使用時において他の設置用脚よりも高い位置で使用されることが予定されているとともに、前記釘のうちの任意のものに対して固定又は係止できるようにされた基準設置用脚とされている、傾斜計を用いて、遊技機の盤面の傾斜角を測定する方法である。
そして、本願の遊技機の盤面の傾斜角を測定する方法では、前記基準設置用脚を当接しようとする部分に釘が存在する部分における盤面の傾斜角を測定しようとする場合には、前記基準設置用脚を任意の釘に固定又は係止させるとともに、他の設置用脚を前記盤面に当接させ、前記傾斜計を重力で安定させることで、前記基準設置用脚に対する前記傾斜計本体の向きを一意に定めた状態で、前記傾斜角測定手段により前記盤面の傾斜角を測定し、前記基準設置用脚を当接しようとする部分に釘が存在しない部分における盤面の傾斜角を測定しようとする場合には、前記盤面に離脱可能に付着された所定の固定物の上面に前記基準設置用脚の下面を係止させ、且つ前記基準設置用脚の先端を前記盤面に当接させるとともに、他の設置用脚を前記盤面に当接させ、前記傾斜計を重力で安定させることで、前記基準設置用脚に対する前記傾斜計本体の向きを一意に定めた状態で、前記傾斜角測定手段により前記盤面の傾斜角を測定する。
つまり、本願発明者が提案する遊技機の盤面の傾斜角を測定する方法で用いられる傾斜計は、従来と同じものであってもよい。
特に、基準設置用脚を当接しようとする部分に釘が存在する部分における盤面の傾斜角を測定しようとする場合における盤面の傾斜角の測定の方法は、従来と代わりはない。他方、従来の傾斜計では測定が困難であった、基準設置用脚を当接しようとする部分に釘が存在しない部分における盤面の傾斜角を測定しようとする場合には、盤面に、離脱可能に所定の固定物を付着し、その固定物の上面に基準設置用脚の下面を係止させ、且つ基準設置用脚の先端を前記盤面に当接させるとともに、他の設置用脚を前記盤面に当接させ、その後傾斜計を重力で安定させることで、基準設置用脚に対する前記傾斜計本体の向きを一意に定めた状態で、傾斜角測定手段により前記盤面の傾斜角を測定する。
つまり、本願の方法では、基準設置用脚を当接しようとする部分に釘が存在しない部分における盤面の傾斜角の測定の場合には、盤面に対して離脱可能な固定物を盤面に付着してその固定物を釘の代わりに用いることで、遊技機の盤面の傾斜角の測定を行うのである。
なお、固定物の盤面に対する付着はどのように行なってもよい。例えば、その付着は、接着剤による接着であっても良いし、吸盤による吸着であってもよい。また、遊技機の構造的に許されるのであれば、遊技機の盤面の裏側に元々存在する、或いは遊技機の盤面に一時的に配される磁石又は磁石と吸着できる金属と、固定物に取付けた磁石又は磁石と吸着できる金属とを、盤面を挟んで吸着させ合うことにより上記付着を実現させることも可能である。
【００１０】
本願発明による遊技機盤面の傾斜角の測定の方法では、上述のように、従来のものと変わりない傾斜計を用いることも可能である。
他方、以下のような傾斜計を用いれば、上述の傾斜角の測定の方法をより容易に実現可能となる。本願発明者は、大別して２つの傾斜計を提案する。便宜上これらを第１の傾斜計、第２の傾斜計と呼ぶことにする。
なお、第１の傾斜計が有する後述の特徴と、第２の傾斜計が有する後述の特徴とは排他的なものではなく、その双方を備えた傾斜計を実現することも可能である。
【００１１】
第１の傾斜計は、  少なくとも１つの釘が盤面に対して略垂直に打ち込まれている遊技機の盤面の傾斜角を測定する傾斜計であって、前記釘より長く、使用時において前記盤面にその先端が当接させられる、略棒状の複数の設置用脚と、複数の前記設置用脚の基端が接続されており、複数の前記設置用脚の先端が前記盤面に当接させられることにより前記盤面に対する距離が一定に決定されるようになっている傾斜計本体と、前記傾斜計本体に対して固定の位置関係にある仮想の軸である仮想軸の傾斜角を測定する、前記傾斜計本体に設けられた傾斜角測定手段と、前記傾斜計本体にその基端側が接続された、前記傾斜計本体からその先端までの長さが調節可能とされた線状体と、を備えている。
そして、前記設置用脚のうちの１つは、その使用時において他の設置用脚よりも高い位置で使用されることが予定されているとともに、前記釘のうちの任意のものに対して固定又は係止できるようにされた基準設置用脚とされており、前記基準設置用脚を任意の釘に固定又は係止させるとともに、他の設置用脚を前記盤面に当接させ、前記傾斜計を重力で安定させることで、前記基準設置用脚に対する前記傾斜計本体の向きを一意に定めた状態で、前記傾斜角測定手段により前記盤面の傾斜角を測定できるようになっているとともに、前記盤面に離脱可能に接着付着された所定の固定物の前記盤面に向かって下る傾斜が与えられた上面に前記基準設置用脚の下面を係止させるとともに、他の設置用脚を前記盤面に当接させ、且つ前記線状体の先端を前記基準設置用脚よりも上に位置する遊技機、或いは遊技機を固定する又は遊技機に固定された所定の機器に固定することにより、前記基準設置用脚から前記固定物に前記固定物が前記盤面から離脱するような力がかからないようにしつつ、前記傾斜計を重力で安定させることで、前記基準設置用脚に対する前記傾斜計本体の向きを一意に定めた状態で、前記傾斜角測定手段により前記盤面の傾斜角を測定できるようになっており、前記基準設置用脚の下面には、前記固定物の上面に対する摩擦係数を小さくするための手段が設けられており、前記基準設置用脚は、当該手段を前記固定物の前記上面に載せたときに前記固定物の前記上面を前記盤面に向かって滑ることによりその先端が前記盤面に当接するようになっている。
第１の傾斜計は、従来技術で説明した傾斜計の構成を概ね踏襲している。この傾斜計は、その基準設置用脚となる設置用脚の下面に、前記固定物の上面に対する摩擦係数を小さくするための手段が設けられている。それにより、前記基準設置用脚は、当該手段を前記固定物の前記上面に載せたときに前記固定物の前記上面を前記盤面に向かって滑ることによりその先端が前記盤面に当接するようになっている。
上述の遊技機の盤面の傾斜角の測定の方法では、基準設置用脚を当接しようとする部分に釘が存在しない部分における盤面の傾斜角を測定しようとする場合には、盤面に、離脱可能に所定の固定物を付着し、その固定物の上面に基準設置用脚の下面を係止させ、且つ基準設置用脚の先端を前記盤面に当接させることとしていた。基準設置用脚の先端を盤面に当接させるのは、基準設置用脚の基端から盤面までの距離を予定された一定の距離にするために、盤面と傾斜計本体との位置関係を予定された一定のものとするためである。基準設置用脚の先端を盤面に当接させるには、固定物の上に基準設置用脚を載せた状態で傾斜計本体を盤面に向かって押し込むことにより、基準設置用脚を盤面に向かって押し込めば良い。
ただし、基準設置用脚を盤面に向かって押し込む場合には、固定物に過剰な負荷が掛かって固定物が盤面から離脱してしまうおそれがないとはいえない。
そこで、固定物を、その上面が盤面に向かって下る傾斜を持つものとすることを前提としつつ、第１発明の傾斜計は、基準設置用脚となる設置用脚の下面に、固定物の上面に対する摩擦係数を小さくするための手段を設けたものとされている。それにより、基準設置用脚は、固定物の上面に対する摩擦係数を小さくするための手段を固定物の上面に載せたときに固定物の上面を盤面に向かって滑るようになる。これにより、基準設置用脚の先端を盤面に当接させる場合に、固定物に過剰な負荷が掛かって固定物が盤面から離脱してしまうおそれを小さくすることができる。
【００１２】
前記固定物の上面に対する摩擦係数を小さくするための前記手段は、前記基準設置用脚の下面に設けられた、前記固定物の前記上面と点接触、又は線接触を行うような形状となっていてもよい。また、その素材も、樹脂、金属等の摩擦係数の小さなものを選択することができる。
なお、固定物の上面の素材を摩擦係数の小さなものとすることも可能であるし、固定物の上面に摩擦係数の小さな素材のもの（例えば、板）を取付けておくことも可能である。
【００１３】
本願発明による第２の傾斜計は、少なくとも１つの釘が盤面に対して略垂直に打ち込まれている遊技機の盤面の傾斜角を測定する傾斜計であって、前記釘より長く、使用時において前記盤面にその先端が当接させられる、略棒状の複数の設置用脚と、複数の前記設置用脚の基端が接続されており、複数の前記設置用脚の先端が前記盤面に当接させられることにより前記盤面に対する距離が一定に決定されるようになっている傾斜計本体と、前記傾斜計本体に対して固定の位置関係にある仮想の軸である仮想軸の傾斜角を測定する、前記傾斜計本体に設けられた傾斜角測定手段と、前記傾斜計本体にその基端側が接続された、前記傾斜計本体からその先端までの長さが調節可能とされた線状体と、を備えている。そして、この傾斜計の前記設置用脚のうちの１つは、その使用時において他の設置用脚よりも高い位置で使用されることが予定されているとともに、前記釘のうちの任意のものに対して固定又は係止できるようにされた基準設置用脚とされており、前記基準設置用脚を任意の釘に固定又は係止させるとともに、他の設置用脚を前記盤面に当接させ、前記傾斜計を重力で安定させることで、前記基準設置用脚に対する前記傾斜計本体の向きを一意に定めた状態で、前記傾斜角測定手段により前記盤面の傾斜角を測定できるようになっているとともに、前記盤面に離脱可能に付着された所定の固定物の上面に前記基準設置用脚の下面を係止させるとともに、他の設置用脚を前記盤面に当接させ、且つ前記線状体の先端を前記基準設置用脚よりも上に位置する遊技機、或いは遊技機を固定する又は遊技機に固定された所定の機器に固定することにより、前記基準設置用脚から前記固定物に前記固定物が前記盤面から離脱するような力がかからないようにしつつ、前記傾斜計を重力で安定させることで、前記基準設置用脚に対する前記傾斜計本体の向きを一意に定めた状態で、前記傾斜角測定手段により前記盤面の傾斜角を測定できるようになっている。
第２の傾斜計は、従来技術で説明した傾斜計の構成を概ね踏襲している。
第２の傾斜計が従来技術で説明した傾斜計と大きく異るのは、線状体を備えているという点である。第２の傾斜計は、上述したように、盤面の釘の無い部分では、盤面に盤面から離脱可能な固定物を付着させ、そしてその固定物を釘の代わりとして用い、固定物に基準設置用脚を係止させた状態で、盤面の傾斜角の測定を行う。ところで釘の代わりとされる固定物は一時的に盤面に付着されるものに過ぎないから、盤面に対する付着を強固に行うことが難しい場合もある。したがって、基準設置用脚を固定物に係止させ傾斜計の重さを固定物にかけたときには固定物が遊技機の盤面から離脱しかねないということもあり得る。本願の傾斜計では、上述の線状体の先端を基準設置用脚よりも上に位置する遊技機、或いは遊技機を固定する又は遊技機に固定された所定の機器に固定することにより、傾斜計の重さの一定の部分（例えば、殆ど）を線状体の固定された遊技機、或いは遊技機を固定する又は遊技機に固定された所定の機器に負担させることができ、その状態で固定物を用いての盤面の傾斜角の測定ができるから、盤面の傾斜角の測定中に固定物が離脱するという事態を防ぐことができる。ここで、線状体の先端は、遊技機に固定される場合、或いは遊技機を固定する又は遊技機に固定された所定の機器に固定される場合があり、また、固定物の盤面に対する付着位置も変化するから、線状体の長さは一定であっては線状体を上述の目的で使えない。しかしながら、本願発明の線状体は、その長さ（傾斜計本体からその先端までの長さ）が可変であるから、遊技機の先端がどこに固定される場合でも、また、固定物が盤面のどこに付着される場合でも、その長さの範囲内であれば対応可能である。
【００１４】
第２の傾斜計における前記線状体の先端には、前記線状体を前記基準設置用脚よりも上に位置する遊技機、或いは遊技機を固定する又は遊技機に固定された所定の機器に固定するのに用いられる線状体固定手段が取付けられていてもよい。線状体の先端は上述のように、遊技機、或いは遊技機を固定する又は遊技機に固定された所定の機器に固定される。この場合の固定は、線状体の先端をそれら遊技機又は所定の機器に結び付けるという単純な方法によっても良いが、線状体の先端に、遊技機又は所定の機器に固定を行うための線状体固定手段が存在すれば、線状体の遊技機又は所定の機器に対する固定が楽になる。
線状体固定手段は、例えば、線状体により形成されたループ、線状体の先端に固定される金属製の輪、スナップフック、Ｌ字型の鍵、又は、所定の隙間に入れたときに変形して前記隙間に係止される板バネである。遊技機は通常、枠と呼ばれる遊技機を囲む矩形の部材に取付けられた状態で、遊技機取り付け用の島に取付けられるが、枠の上側には一般に、若干の隙間が存在する。線状体固定手段を上述の板バネとした場合には、その隙間に線状体固定手段を固定するのが容易になる。
【００１５】
第２の傾斜計における前記線状体は、その基端が前記傾斜計本体から露出しており、且つその基端に前記線状体をその基端側に引っ張るために用いられるループが設けられていてもよい。このようにすると、線状体の傾斜計本体から線状体の先端までの長さを縮める線状体の長さの調整が楽に行えるようになる。
この場合、傾斜計本体には、線状体を、基端側には引っ張れるが、解除の操作をしない限り先端側には引っ張れないように線状体を固定する手段を設けておくのが好ましい。このような手段があれば、線状体の長さの調節を容易に行えることと、線状体の傾斜計本体から先端までの長さが伸びて固定物に過度な力がかからないようにすることとを、両立できる。
【００１６】
第１の傾斜計又は第２の傾斜計の設置用脚は、棒状で且つその長さが釘（の盤面から露出している部分の長さ）よりも長ければそれで足りる。第１の傾斜計又は第２の傾斜計の設置用脚は、また、盤面に平行して対向する傾斜計本体の対向面上を平行に移動できるようになっていてもよい。そうなっていれば、設置用脚が釘を回避し易くなる。
第１の傾斜計又は第２の傾斜計の前記設置用脚は、前記盤面に設けられた、玉が移動できる範囲を確定する仕切り板の盤面からの高さを超えるものとなっていてもよい。そうすれば、設置用脚の少なくとも１つと設置用脚の他の１つが仕切り板を超えた状態で盤面の傾斜角を測定できるようになるから、盤面の傾斜角を測定できる範囲が広がる。
第１の傾斜計又は第２の傾斜計の前記基準設置用脚の先端は丸められていてもよい。基準設置用脚のみならず、設置用脚の先端まで丸められていてもよい。
【００１７】
また、第１の傾斜計又は第２の傾斜計の前記基準設置用脚は、弾性体によって前記傾斜計本体に向かう方向に付勢力を与えるようにされ、且つ前記弾性体によって与えられる付勢力に抗する外力を加えることにより当該基準設置用脚に沿って前記傾斜計本体から離れる方向に移動できるようにされている可動体を備えており、前記可動体には、当該可動体が設けられている前記基準設置用脚の前記先端が前記盤面に当接させられた状態で、前記外力が加えられていない場合には、前記釘の釘傘よりも前記傾斜計本体に近い位置にあり、前記外力が加えられた場合には、前記釘の釘傘よりも前記傾斜計本体から遠い移置にまで移動させることができるようになっている接面が設けられており、前記可動体が設けられている前記基準設置用脚の前記先端を前記釘の近辺の前記盤面に当接させた状態で、前記可動体に前記外力を加えて当該釘の釘傘よりも前記傾斜計本体から遠い位置にまで移動させた前記接面を当該釘の釘傘の前記盤面側の面に係止させ、前記弾性体による付勢力によって前記接面を前記釘傘に対して前記傾斜計本体の方向に付勢させることで、前記設置用脚を前記盤面に固定することができるようになっていてもよい。
この傾斜計では、傾斜計の設置用脚を盤面に対して固定する際には、可動体のある設置用脚の先端を盤面の釘の近辺に当接させた状態で、外力が加えられていない場合には、釘の釘傘よりも傾斜計本体に近い位置にある可動体の釘の釘傘に対する接面を、可動体に外力を加えることによって釘傘よりも傾斜計本体から遠い位置にまで移動し、釘傘の盤面側の面に係止させ、弾性体による付勢力によって接面を釘傘に対して傾斜計本体の方向に付勢させるようになっている。そのような弾性体を備える可動体を用いることで、傾斜計の設置用脚を盤面に固定する場合における、設置用脚が盤面を押す力が常に一定になる。例えば、手で傾斜計を持ち、設置用脚を盤面に押付けた場合には、設置用脚を盤面に押付ける力が過剰であった場合、可撓性を有する盤面を湾曲させてしまい、結果的に正確に傾斜角を測定できなくなる場合がある。本願発明では、傾斜計による盤面の傾斜の測定にあたり、設置用脚を盤面に押付ける力を弾性体による一定の力にすることができるので、上述の不具合を避けることができるようになるため、固定物を用いずに盤面の傾斜角を測定する際の測定の精度を向上させられるようになる。
なお、この傾斜計は、このような可動体を有する設置用脚を盤面に対して着脱自在に固定できるようなものであるため、盤面の釘が有る部分での傾斜角の測定の際に作業者が傾斜計から手を離すことができる。それにより、作業者は、傾斜計を見ながら盤面の傾斜角の測定を行えるようになり便利である。
【図面の簡単な説明】
【００１８】
【図１】本願の一実施形態の方法でその盤面の傾斜角の測定がなされる遊技機、及び当該遊技機が取付けられた島の構成を示す斜視図。
【図２】図１に示した島と固定物が取付けられた遊技機と遊技機が取付けられた島を示す正面図。
【図３】本願の一実施形態の方法で遊技機の盤面の傾斜角を測定するのに用いられる傾斜計を後方から見た状態を示す斜視図。
【図４】図３に示した傾斜計を、蓋を外して後方から見た状態を示す斜視図。
【図５】図３に示した傾斜計を前方から見た状態を示す斜視図。
【図６】図３に示した傾斜計に水準計を取付けた状態を示す斜視図。
【図７】図３に示した傾斜計の使用状態における傾斜計と釘との関係を示す側面図。
【図８】図３に示した傾斜計の上側の設置用脚の先端部分を拡大して示す分解斜視図。
【図９】図３に示した傾斜計の上側の設置用脚の先端部分を釘に固定する方法を示す側面図。
【図１０】図３に示した傾斜計の下側の設置用脚の傾斜計本体への取付け方を示す分解斜視図。
【図１１】図３に示した傾斜計から取出した線状体及びその付属品を示す斜視図。
【図１２】図３に示した傾斜計から取出した線状体及び筒部材を示す斜視図。
【図１３】図３に示した傾斜計に含まれる筒部材の断面図。
【図１４】図３に示した傾斜計に含まれる設置用脚の他の例の（Ａ）が平面図、（Ｂ）が側面図。
【図１５】変形例による傾斜計における上側の設置用脚の構成を示す図。
【発明を実施するための形態】
【００１９】
以下に、本発明を実施するための最良の一実施形態を、図面を参照しつつ説明する。
【００２０】
まずは、この実施形態による後述する傾斜計でその盤面の傾斜角を測定される遊技機、及びそれが取付けられた島の概略の構成について説明する。
図１、図２中３００が遊技機である。
遊技機３００は、玉がその表面を移動する盤面３０１を備えている。
盤面３０１には、多数の釘３０２が立設されている。この実施形態による遊技機３００では、釘３０２は、盤面３０１の向かって左側に多く立設されており、盤面３０１の右半分の特に上方には殆ど存在していない。
また、盤面３０１には、盤面３０１上で玉が移動できる範囲を確定する仕切り板３０３が設けられている。仕切り板３０３で囲まれた略円形の範囲の中を玉は移動することになる。必ずしもこの限りではないが、この実施形態では、仕切り板３０３の盤面３０１からの高さ（仕切り板３０３の幅）は長さ方向のすべての部分で一定となっている。
なお、遊技機３００の盤面３０１は通常、盤面３０１の正面をガラスとした扉で覆われているが、図１では簡単のため、扉の図示を省略している。また、遊技機３００の下方には、一般には上皿と下皿からなる出玉を受けるための皿や、玉を打ち出すための操作に用いられるハンドルも存在するが、それも同様の理由で図示を省略している。
【００２１】
遊技機３００は通常、ホールにおいては、島４００と呼ばれる構造体に固定されている。島４００は、金属製であることもあるが、多くの場合は木製であり、遊技機３００を多数並列に取付けられるような構造となっている。
島にはその他に、遊技用の玉をユーザに貸し出す玉貸機、遊技機の状態をユーザやホールの店員に知らせる呼び出しランプ、玉貸機及び遊技機に玉を供給し、また、遊技機から外れ玉を回収して玉を循環させるための玉の循環機構、などが必要に応じて適宜取付けられるが、これらについての図示も省略する。
遊技機３００は、島４００に枠５００と呼ばれる部材を介して取付けられる。枠５００は、金属製の場合もあるが通常木製であり、４枚の板を４辺とした矩形形状とされている。その前面に遊技機３００が固定された状態で、枠５００を島４００に固定することで、島４００に対する遊技機３００の固定がなされる。具体的には、島４００には、枠５００を載置するための下板４０１と、枠５００の上側に位置する下板４０１と平行な上板４０２とが存在するが、枠５００はその下側の辺にあたる板を下板４０１に、その上側の辺にあたる板を上板４０２に、それぞれ釘、専用の金具等適当な手段を用いて固定することで、島４００に対して固定されている。そのとき、遊技機３００の盤面３０１は、若干後方に倒れこむような傾斜が与えられている。その傾斜角は、本願の背景技術の欄で既に説明したように、事後的に変更可能な場合もある。
また、枠５００の上側の板と、上板４０２の間には、図２に示したように、若干（例えば、数ｍｍ程度）の隙間が空けられるのが通常である。
【００２２】
次に、傾斜計１０について説明する。
図３は、傾斜計を背面（なお、便宜上、傾斜計１０の使用時に盤面３０１に対向する側の面を傾斜計１０の前、盤面３０１から遠い側の面を傾斜計の後と、この実施形態では称するものとする。）側から見た状態を示す斜視図であり、図４は、傾斜計１０の背面側の後述する蓋を外した状態を示す斜視図であり、図５は、傾斜計を前面側から見た状態を示す斜視図である。
【００２３】
傾斜計１０は、その使用時における上下方向を長さ方向とする傾斜計本体１１を有する。傾斜計本体１１は、これには限られないが、金属製、或いは樹脂製であり、略直方体形状に形成されている。この実施形態における傾斜計本体１１の上面には、孔１１Ａが穿たれている。もっとも、孔１１Ａの位置はこれには限らない。
この実施形態では、傾斜計１０は、略直方体である傾斜計本体１１の前側の面である対向面１２を盤面３０１に平行に臨ませた状態で、盤面３０１の傾斜角を測定する。
地上に対する垂直方向からの盤面３０１の傾斜角は、対向面１２の傾斜角によって計測することができる。なお、対向面１２上の最大傾斜方向に沿う線は、本発明における仮想軸の一例となる。
【００２４】
この実施形態における傾斜計本体１１には、上述したように対向面１２に平行な矩形の板である蓋１３がある。蓋１３の中ほどには孔１３Ａが穿たれている。もっとも、孔１３Ａの位置はこれには限らない。
蓋１３には、また、蓋１３の背面に対して垂直な面を持つテーブル状部材１４が取付けられている。テーブル状部材１４の、傾斜計１０の使用時における上側の面には、図３〜５では図示を省略したが、本願の傾斜角測定手段として、蓋１３に対して垂直方向に複数の水準計１５が取付けられている（図６、図７）。傾斜計１０を地面に対して垂直に設置した場合に、各水準計１５は、蓋１３に近い一端が他端より高くなるようになっており、それぞれ傾斜角Ａを有する。この実施形態では、テーブル状部材１４上の水準計１５はそれぞれ異なる傾斜角Ａを有するように設置されている。傾斜計１０を盤面３０１に設置したときに、水準計１５のうちで水平を示すものがあれば、その水準計１５の傾斜角Ａは、対向面１２の地上に対する垂直方向からの傾斜角に一致する。上述したように、傾斜計本体１１は対向面１２が盤面３０１に平行になるように設置される。したがって、対向面１２の傾斜角である傾斜角Ａは、盤面３０１の地上に対する垂直方向からの傾斜角ということになるのである。例えば、この実施形態では、水準計１５を４台使用しており、各水準計１５に与えられた傾斜角Ａはそれぞれ、図６、７の手前から尺貫法でいう、３分、３．５分、４分、４．５分になっている。したがって、傾斜計１０を盤面３０１に設置したときに、例えば、４度を計測する水準計１５が水平であれば、盤面３０１の傾斜角は４度ということになる。なお、水準計１５の数及び各水準計１５の傾斜角は、適当に決定できる。更にいえば、傾斜角測定手段として、水準計を使用しなくてもよいし、傾斜角測定手段によってはテーブル状部材１４も使用しなくてもかまわない。例えば、水準計１５の代わりに、内部に傾斜センサを備えるコンピュータで制御されたディスプレイ付きの傾斜角測定装置を、傾斜計本体１１に設けること等が考えられる。
【００２５】
傾斜計本体１１の対向面１２には、略棒状である設置用脚が接続されている。例えば、この実施形態における傾斜計本体１１には、角柱状である２本の設置用脚３０及び４０が接続されている。これら設置用脚３０及び４０は、釘３０２よりも長い必要がある。また、この実施形態では、これら設置用脚３０及び４０は、各設置用脚３０及び４０の先端を盤面３０１に当接させた状態で、対向面１２と盤面３０１が平行になり、対向面１２から盤面３０１までの距離が一定になるような長さになっている。つまり、設置用脚３０及び４０は、その先端が互いに面一となっている。設置用脚は２本である必要はなく、傾斜計本体１１の形状等の要素に合わせて増加させてもよい。また、この実施形態では、設置用脚は角柱状であるが、略棒状であれば他の形状であってもよく、例えば、円柱状である場合等が考えられる。
なお、設置用脚３０及び４０は、少なくともその一方の先端が、図１４（Ａ）、（Ｂ）に示されたように、例えば半球状に丸められていても構わない。
【００２６】
２本の設置用脚のうち、その使用時において相対的に上部に存在する設置用脚３０は、本願で言う基準設置用脚に該当する。設置用脚３０は、傾斜計１０の重心位置より上の範囲の中にある。
この設置用脚３０には、図３〜５では図示を省略したが、可動体３１が備えられている（図９）。可動体３１は、後述のように、設置用脚３０と釘３０２の固定をなすためのものである。もっとも、設置用脚３０は釘３０２に対する固定が可能になっていてもよいが、釘３０２に対する係止が可能となっていればそれで十分なのであり、その場合には、設置用脚３０に可動体３１の如き可動なもの（可動体３１がどのようにして可動となっているかは後述する。）を設ける必要は特にない。例えば、設置用脚３０には、設置用脚３０の先端を盤面３０１に当接させた状態で釘３０２をその内側に嵌め込むことができ、その状態で傾斜計１０から手を離しても釘３０２に対する設置用脚３０の係止が維持されるような溝が設けられているだけでも構わない。
他方、この実施形態では、もう一方の設置用脚４０には可動体が備えられていないが、２本の設置用脚３０、４０の双方に可動体が備えられていても構わない。
【００２７】
図８は、設置用脚３０の可動体３１付近の内部構造を示す図であり、図９は、設置用脚３０の可動体３１付近を拡大したものである。設置用脚３０の可動体３１によって覆われている部分には、断面略矩形形状の空洞３２が存在する。また、空洞３２の内部には、第１バネ３３が配置されている。可動体３１は、第１樹脂体５０及び第２樹脂体６０によって構成されており、空洞３２を挟み込むように組み合わせて構成される。第１樹脂体５０には、第１突起部５１が存在する。第１突起部５１は、設置用脚３０の長さ方向と平行な板状になっており、空洞３２近くの両端には、この第１突起部５１をはめ込むことができるように、設置用脚３０の長さ方向と平行に長さを持つ窪み３４が存在する。この窪み３４の設置用脚３０の長さ方向の長さは、第１突起部５１の同方向の長さより長いものとなっている。
また、可動体３１の下面には、溝５２がある。溝５２は、後述するように、釘３０２をその内部に嵌め込んで使用されるものであり、それが可能なような幅、深さとなっている。
【００２８】
第１樹脂体５０には、直方体状の第２突起部５３があり、それが設置用脚３０の空洞３２に差し込まれている。この状態で第２突起部５３の設置用脚３０の先端方向の面を第１バネ３３に当接させる。第１バネ３３は、第２突起部５３を第１バネ３３に当接させた状態で、すでに縮んだ状態になっており、常に第２突起部５３を傾斜計本体１１の方向に付勢するようになっている。可動体３１を傾斜計本体１１から設置用脚３０に沿って遠ざけることで、第２突起部５３が第１バネ３３をさらに縮ませることになり、第２突起部５３を傾斜計本体１１の方向に付勢する力がより強くなるようになっている。
【００２９】
この実施形態では、第１樹脂体５０を、２つの第１突起部５１が対応する２つの窪み３４に合うように嵌め込み、その上から第２樹脂体６０で覆うように組み合わせる。第１突起部５１は、窪み３４に沿って設置用脚３０の長さ方向に案内されながら移動させることができる。第１突起部５１は、窪み３４の長さの範囲の中でのみ移動させることができ、それに伴い可動体３１の移動範囲も制限されるようになっている。
【００３０】
可動体３１の傾斜計本体１１に最も近い面が接面３５である。接面３５は、可動体３１の移動に伴って移動する。接面３５は、図９に示したように、可動体３１が初期状態にあるときの位置ａから位置ｂまでくるように移動させることができる。位置ｂは、釘３０２の釘傘２２の盤面３０１側の面よりも、盤面３０１に近い位置である。上述したように、可動体３１を盤面３０１の方向に移動させることで、第１バネ３３によって可動体３１を傾斜計本体１１の方向に付勢する強い力が生じる。そして、接面３５が釘傘２２の盤面３０１側の面に当接するように可動体３１を解放すると、可動体３１に生じている付勢する力によって、可動体３１を釘３０２に係止させることができる。このとき、釘３０２を溝５２に嵌め込むことで、可動体３１を釘３０２により安定した状態で固定することができる。可動体３１は、樹脂製でなくてもよいし、直方体形状でなくてもよいが、可動体３１の接面３５から溝５２のある可動体３１の下面に至る部分は、釘傘２２が滑らず釘３０２を係止することができるような形状（例えば、面取りされていない形状）とし、十分な剛性を有するのが好ましい。
【００３１】
この実施形態では、設置用脚４０は傾斜計本体１１の長さ方向に沿って対向面１２上を上下方向に平行に移動させることができるようになっている。
設置用脚４０を傾斜計本体１１の長さ方向に沿って移動させられるようにするための構成には特に制限はないが、この実施形態では、例えば、図１０で示されたような構成が採用されている。
この実施形態では、傾斜計本体１１は、上述したように、略直方体形状に形成されている。傾斜計本体１１の対向面１２には、傾斜計本体１１の長さ方向に長い辺を持つ切り込み１６が存在する。設置用脚４０は、その基端を対向面１２に挿入した状態で、傾斜計本体１１に接続される。
傾斜計本体１１の内部には、設置用脚４０の基端を固定するための固定板７０、及び、固定板７０と嵌め合わされて固定板７０とともに傾斜計本体１１内部を、上述の切り込み１６に沿って移動する移動台８０とが収納されている。
固定板７０は、その中央に固定板７０を貫通する孔である貫通孔７１が設けられた矩形の板部７２と、板部７２の対向する２辺から傾斜計本体１１の背面方向に延びる角柱状の２本の固定用脚７３とを備えている。設置用脚４０はネジ９０によって固定板７０に固定されている。上述の貫通孔７１を貫通させたネジ９０を設置用脚４０の基端側の面に螺合させることにより、その固定は行われている。それを可能とするため、設置用脚４０の傾斜計本体１１側の面には、ネジ９０が螺合させられるようなネジ切りがその内部にされたネジ穴４１が設けられている。貫通孔７１の径は、ネジ９０のネジ部分は通るが、ネジ傘は通らない大きさとされている。
移動台８０は、略直方体形状とされている。移動台８０は、必ずしもこの限りではないが、この実施形態では樹脂製である。移動台８０の固定板７０に臨む面には、２つの差込口８１と、円柱状穴８２が設けられている。差込口８１は、その断面形状が、固定用脚７３の断面形状と略対応した穴であり、２つの固定用脚７３の位置と対応した位置にそれぞれ設けられている。円柱状穴８２は、比較的浅い断面円形の穴である。円柱状穴８２には、第２バネ１００の一端側が嵌め込めるようになっている。
固定板７０は、移動台８０との間に第２バネ１００を挟み込み、且つその２つの固定用脚７３を移動台８０の差込口８１のそれぞれに挿入した状態で、傾斜計本体１１の内部に収納されている。この状態では、第２バネ１００は、その一端を移動台８０に、その他端を固定板７０にそれぞれ当接させた状態で、縮んだ状態にある。したがって、固定板７０は第２バネ１００によって盤面３０１の方向に一定の力で常に付勢される。それにより、固定板７０の対向面１２側の面は、傾斜計本体１１の対向面１２の内壁に押接させられる状態になる。この状態では、固定板７０と傾斜計本体１１の内壁との摩擦による力によって設置用脚４０を、切り込み１６に沿って移動させることが殆ど不可能となる。しかしながら、設置用脚４０を、第２バネ１００を更に圧縮できるような力を加えて移動台８０の方向に押し込み、固定板７０が傾斜計本体１１の内壁に当接しないようにすれば、設置用脚４０は簡単に移動させられる。つまり、以上のような構成により、この実施形態では、設置用脚４０を切り込み１６の長さ方向に自由に動かせるようにすることと、設置用脚４０を切り込み１６の長さ方向の任意の位置で固定することとを両立させている。
もっとも、設置用脚４０は必ず移動できるようになっていなくてはならないわけではないし、移動できる方向も対向面１２に平行であれば傾斜計本体１１の長さ方向に沿った上下方向に限る必要はない。また、傾斜計１０の重心位置より上の範囲であれば、設置用脚３０も移動できるようになっていてもよい。
【００３２】
この実施形態の傾斜計１０は、また、例えば丈夫なワイヤである線状体１１０を備えている。線状体１１０の先端は、孔１１Ａを貫通しており、また、線状体１１０の基端は、孔１３Ａを貫通している。これにより、線状体１１０は、傾斜計本体１１を貫いた状態となっている。
線状体１１０は、適当な方法で傾斜計本体１１の内部の傾斜計１０の使用時における上端に取付けられた筒部材１３０（図１１〜１３参照）の中を貫通している。
通常の状態では、線状体１１０は、筒部材１３０に固定されている。筒部材１３０による固定により、線状体１１０は、傾斜計本体１１に固定された状態となる。
線状体１１０の一端側には、ループ１１１が設けられている。線状体１１０の他端側には、ループ１１１よりも大きな径の大ループ１１２が設けられている。大ループ１１２は、任意の指を入れられる程度の大きさとなっているが、指を数本通せる程度等、それよりも大きなものでも良い。
ループ１１１には、固定板１２０が取付けられている。
固定板１２０は、金属板である。固定板１２０は、山折りされた板バネ部１２１を有している。板バネ部１２１は、固定板１２０の厚さ方向に圧縮されたときにその厚さが小さくなるように変形し、元の厚さに戻ろうとする力を生じるようになっている。固定板１２０は、また、孔１２２が穿たれている。孔１２２の縁には、フック１２３が立設されている。線状体１１０のループ１１１は、孔１２２を通してから、フック１２３に引っ掛けられている。それにより、フック１２３に対して線状体１１０が接続されている。
参考までに、傾斜計１０から取り出した線状体１１０と筒部材１３０を図１１に示す。
【００３３】
筒部材１３０の構成について説明する。
図１２に筒部材１３０の分解図を、図１３に筒部材１３０の破断図を示す。なお、図１３では、後述する外筒はその全体において軸を通る平面で破断された状態が、後述する内筒は、図１３の上半分において上記平面と同じ平面で破断された状態が示されている。
【００３４】
筒部材１３０は、筒状である。筒部材１３０は、外筒１３１、内筒１３２、球１３３、弾性バネ１３４を備えて構成されている。
外筒１３１は、筒状である。筒状とされた外筒１３１の内部には内筒１３２が挿入されるようになっている。外筒１３１の外周面には溝１３１Ａが切られている。
外筒１３１の内周面には、その前方に向けて徐々に内径が小さくなっていくようなテーパーの与えられたテーパー部１３１Ｂが設けられている。テーパー部１３１Ｂ後端のテーパー部１３１Ｂが終わる部分より後ろの部分においては、外筒１３１の内周面の径は一定となっている。
外筒１３１の内周面の後端には、断面形状がリング状の係止部１３１Ｃが設けられている。係止部１３１Ｃの内側に開いた孔は、内筒１３２の、後述する内筒後端部を案内するためのものであり、内筒後端部の外形よりも若干大きい程度の径となっている。
【００３５】
内筒１３２は、筒状である。内筒１３２は、前側から、円筒形の内筒先端部１３２Ａ、円錐台形状である内筒中間部１３２Ｂ、円筒形状で長い内筒後端部１３２Ｃからなる。内筒先端部１３２Ａは外筒１３１の先端から前方に突出するようになっている。内筒後端部１３２Ｃの後端は、内筒１３２に特に外力を加えない場合には外筒１３１の後端と略一致するようになっている。
内筒先端部１３２Ａ、内筒中間部１３２Ｂ、内筒後端部１３２Ｃは同軸であり、且つその内部を、貫通孔１３２Ｄで貫かれている。貫通孔１３２Ｄは、内筒中間部１３２Ｂの部分は図に示したように他の部分よりも大径となっているが、その他の部分においては、線状体１１０を前後にずらせる程度に線状体１１０の径よりも幾らか大きい程度の一定の径とされている。なお、貫通孔１３２Ｄは、すべての部分で一定の径とされていても構わない。
内筒１３２の内筒中間部１３２Ｂには、貫通孔１３２Ｄと連通したこの実施形態では円形の孔である連通孔１３２Ｅが穿たれている。連通孔１３２Ｅにはそれぞれ、球１３３が嵌っている。球１３３の径は、線状体１１０から、外筒１３１のテーパー部１３１Ｂの所定の部分（これには限られないが、この実施形態では、テーパー部１３１Ｂの前後方向の中程）までの距離に等しくなっている。
【００３６】
弾性バネ１３４は一般的なコイルばねである。弾性バネ１３４は、図１３に示したように、内筒後端部１３２Ｃの周囲に巻き付けたような状態で、外筒１３１の内部空間に入れられている。弾性バネ１３４は、その先端を内筒中間部１３２Ｂと、内筒後端部１３２Ｃが交わる部分にできるドーナツ状の面に当接させ、その後端を係止部１３１Ｃの前面に当接させている。弾性バネ１３４は圧縮されており、内筒１３２に対して常に、内筒１３２を前側に向かって押すような付勢力を与えている。
【００３７】
上述したように線状体１１０は、筒部材１３０に対して前方、後方に移動できる。その仕組は以下の通りである。
図１３に示した筒部材１３０は通常の状態である。
この状態では、内筒１３２は、弾性バネ１３４により前側に付勢されている。内筒１３２が前側に付勢されているこの状態では、内筒中間部１３２Ｂに設けられた連通孔１３２Ｅから覗いている球１３３は前方に押しやられ、外筒１３１のテーパー部１３１Ｂに当接して軸方向に移動する。すると、３つの球１３３は、線状体１１０を３方向から押圧する。この状態では、線状体１１０は前方に引いても前方には移動できない。なぜなら、線状体１１０を前方に引こうとすると、線状体１１０から摩擦力を受ける球１３３は益々前方に移動しようとし、これにより球１３３が線状体１１０を押圧する力が益々大きくなるからである。他方、この状態で、線状体１１０を後ろに引くことは可能である。線状体１１０を後ろに引いた場合には、線状体１１０からの摩擦力を受ける球１３３は線状体１１０が後ろに引かれることにより後ろ向きの力を受け、内筒１３２ともども弾性バネ１３４の付勢力に抗して若干後ろに下がる。すると、その部分における外筒１３１の内部空間の径は、図１３に示した状態で球１３３が当接していた部分におけるテーパー部１３１Ｂの径よりも大きいので、球１３３は外筒１３１の内周面側に移動し、球１３３による線状体１１０の押圧が解かれる。それ故、図１３に示した状態でも、線状体１１０を後ろに引くことが可能なのである。
他方、内筒１３２の内筒先端部１３２Ａを外筒１３１に向かって後方に押し込むと、線状体１１０は前方にも、後方にも引けるようになる。内筒先端部１３２Ａを弾性バネ１３４の付勢力に抗して外筒１３１に対して相対的に後ろに下げると、球１３３の線状体１１０に対する押圧が解かれるからである。もっとも、上述したように、線状体１１０は内筒先端部１３２Ａを外筒１３１に向かって後方に押し込まなくても後方には移動できるのであるから、この操作は事実上、線状体１１０を前方に移動させたい場合にのみ行うことになる。
つまり、上述の筒部材１３０は、内筒先端部１３２Ａを外筒１３１に向かって後方に押し込むという特定の操作をしない限り、線状体１１０の移動方向を後方のみに規制するものであると言える。
【００３８】
内筒先端部１３２Ａは、傾斜計本体１１の孔１１Ａから上方に若干飛び出している。
ユーザは、孔１１Ａから飛び出している内筒先端部１３２Ａを後方へ、つまり図３〜５等で示された状態であれば下方へ押しこむことにより、筒部材１３０による線状体１１０の前方への、つまり図３〜５等で示された状態であれば傾斜計本体１１に対して上方への移動を行えるようになる。
他方、ユーザが、内筒先端部１３２Ａを後方へ押しこんでいない状態では、筒部材１３０による線状体１１０の前方への移動は規制されており、その代わりに線状体１１０の後方への移動は許容されている。この状態では、ユーザは、大ループ１１２に指を通すなどして、線状体１１０を後方へ引っ張ることが可能となる。
【００３９】
次に、傾斜計１０の使用方法について説明する。
この傾斜計１０は、釘３０２を用いて遊技機３００の盤面３０１の傾斜角を測定する場合と、釘を用いずに遊技機３００の盤面３０１の傾斜角を測定する場合の２通りの使用方法がある。
まず、前者から説明する。
【００４０】
釘３０２を用いて盤面３０１の傾斜角を測定するにあたっては、まず、傾斜計１０を盤面３０１に固定する。上述したように、傾斜計１０を盤面３０１に固定する場合には、傾斜計１０から伸びる設置用脚３０及び４０の先端を盤面３０１に当接させる。
このとき、設置用脚３０の可動体３１にある溝５２に適当な釘３０２を嵌め込みつつ、設置用脚３０を盤面３０１に当接させる。このとき、設置用脚４０を盤面３０１に当接するにあたり、他の釘３０２が干渉するようであれば、設置用脚４０と他の釘３０２が干渉しないように設置用脚４０を切り込み１６の範囲内で上下に移動させる。そして、設置用脚３０及び４０を盤面３０１に当接させた状態で、可動体３１を位置ａから位置ｂまで移動させ、可動体３１の接面３５を釘３０２に係止させる。可動体３１から手を離すと、可動体３１の内部にある第１バネ３３で生じる強い弾性力によって、接面３５が位置ａに戻る方向で可動体３１が移動するので、可動体３１の接面３５の釘３０２に対する係止は、可動体３１から手を離すと自動的に行われる。このとき設置用脚４０が盤面３０１に押付けられる力は、第１バネ３３の弾性力による一定の力となる。
この実施形態では、設置用脚３０及び４０が盤面３０１に当接する２点によって、傾斜計１０の仮想軸の傾斜角が決定される。そして、この仮想軸の傾斜角は、異なる角度で設置される複数の水準計１５のうち、水平を示した水準計１５の傾斜角によって示され、その傾斜角によって盤面３０１の傾斜角が測定される。作業者は、傾斜計１０が示す盤面３０１の傾斜角を見ながら、傾斜計１０から手を離した状態で、盤面３０１の傾斜角の調整など、必要な作業を行うことができる。
【００４１】
釘３０２を用いずに盤面３０１の傾斜角を測定するにあたっては、まず、設置用脚３０の係止を行いたい部分に、固定物６００を付着する。固定物６００の盤面３０１に対する付着は、盤面３０１に対して離脱可能に行う。盤面３０１から固定物６００を離脱させた場合に、盤面３０１に何らの影響も与えないのが好ましい。固定物６００は、例えば、粘着性を有するゴムであり、また、その付着は、例えば、そのゴムが本来的に有する粘着性により行うことができる。もっとも、上記付着は、固定物６００を盤面３０１から剥がせることが担保された接着剤によって行なわれても構わないし、吸盤による吸着、或いは、磁力を利用した吸着によって達成されても構わない。磁力を用いて固定物６００の盤面３０１に対する付着を達成する場合には、盤面３０１の裏側に固定物６００と磁力で吸着しあう物質を配することとし、固定物６００とその物質の一方を磁石とし、その他方をその磁石と吸着しあう磁石又は金属とする。
固定物６００の形状はどのようなものでも良いが、これには限られないが、この実施形態では、直方体形状とされている。
この実施形態では、固定物６００は、盤面３０１のうちの釘３０２の少ない右半分の適当な箇所に付着する。図１、図２では、盤面３０１のうちの仕切り板３０３の外側に固定物６００が付着させられているが、固定物６００は、仕切り板３０３の内側に付着させられても良い。
次いで、傾斜計１０から伸びる設置用脚３０及び４０の先端を盤面３０１に当接させる。また、このとき、設置用脚３０の下面を固定物６００の上面に当接させる。なお、この状態では、傾斜計１０の重さが固定物６００にかからないようにする。この状態で、線状体１１０の先端を、固定物６００の直上の適当な箇所に固定する。
線状体１１０の先端を固定する場所は、遊技機３００の一部であっても良いし、遊技機３００に取付けられた機器の一部、或いは遊技機３００を取付ける島４００や枠５００の一部であっても良い。この実施形態では、枠５００の上側の板と、上板４０２の間にある上述した隙間に、線状体１１０の先端に取付けられた固定板１２０を差し込むことにより、線状体１１０先端の固定を行う。固定板１２０を上述の隙間に差し込むと、固定板１２０の板バネ部１２１は圧縮され、その厚さが小さくなるように変形するが、元の厚さに戻ろうとする。その力により、固定板１２０は上述の隙間にしっかりと固定される。
なお、線状体１１０の先端側の長さが足りない場合には、ユーザは、孔１１Ａから飛び出している内筒先端部１３２Ａを後方へ押しこみ、その状態で、線状体１１０を先端側に伸ばせばよい。この大雑把な線状体１１０の長さの調整を、設置用脚３０及び４０の先端を盤面３０１に当接させる前に行なって良いのは当然である。
また、線状体１１０の先端の固定に固定板１２０を用いないのであれば、ループ１１１からフック１２３を抜くことにより線状体１１０から固定板１２０を外して、例えばループ１１１を利用する等して線状体１１０の先端を、遊技機３００の一部等に固定することも可能である。そのとき、固定板１２０を外したループ１１１に、他の金具等を接続して、線状体１１０の先端の遊技機３００等の一部への固定に役立てることももちろんできる。
次いで、ユーザは、大ループ１１２に指を入れるなどして、線状体１１０を後方へ引っ張り、線状体１１０の傾斜計本体１１よりも先端側の長さを縮める。線状体１１０の傾斜計本体１１よりも先端側の長さは、設置用脚３０から固定物６００へかかる力がほんの僅かとなるか、少なくとも固定物６００が盤面３０１から離脱しない程度の長さとする。
ここから先は、釘３０２を用いて盤面３０１の傾斜角を測定する場合と同じである。設置用脚３０及び４０が盤面３０１に当接する２点によって、傾斜計１０の仮想軸の傾斜角が決定される。この場合も、作業者は、傾斜計１０が示す盤面３０１の傾斜角を見ながら、傾斜計１０から手を離した状態で、盤面３０１の傾斜角の調整など、必要な作業を行うことができる。
【００４２】
＜変形例＞
上述の盤面３０１の傾斜角の測定方法に用いられた傾斜計１０は、線状体１１０を備えていたが、変形例で用いられる傾斜計１０は、線状体１１０が不要である。線状体１１０がない変形例の傾斜計１０においては、筒部材１３０も当然不要である。
また、この変形例では、設置用脚３０の下面、より詳細には、可動体３１の下面に、滑り部３１Ａが設けられている（図１５）。滑り部３１Ａは、その表面が滑らかであり、後述する板体との間の摩擦係数が小さくなる素材でできている。その素材は例えば、金属や樹脂である。滑り部３１Ａはその下方が球状に面取りされており、後述の板体の上面と点接触することで、板体の上面を更に滑り易くされている。
なお、滑り部３１Ａは必ずしも可動体３１の下面にある必要はなく、構造的に許されるのであれば設置用脚３０の下面に直接取付けられていても構わない。また、滑り部３１Ａは、板体と点接触するような形状に限られず、例えば、その長さ方向の一辺が板体と接触する三角柱形状のような、板体と線接触するような形状とされていても構わない。
なお、この変形例の傾斜計１０は、線状体１１０が存在しないことにより、その重さが後述する固定物６００にそのままかかるような用い方をされることがあるので、傾斜計本体１１や設置用脚３０、４０を樹脂製にするなどの、できる限りの軽量化がなされているのが好ましい。
【００４３】
変形例による傾斜計１０の使用方法について説明する。
変形例による傾斜計１０は、上述の傾斜計１０の場合と同様に、釘３０２を用いて遊技機３００の盤面３０１の傾斜角を測定する場合と、釘を用いずに遊技機３００の盤面３０１の傾斜角を測定する場合の２通りの使用方法がある。
【００４４】
釘３０２を用いて盤面３０１の傾斜角を測定する方法は、上述の場合と変わらない。
【００４５】
釘３０２を用いずに盤面３０１の傾斜角を測定するにあたっては、上述の場合と同様に、設置用脚３０の係止を行いたい部分に、固定物６００を付着する。
この変形例の傾斜計１０と組合せて用いられる固定物６００は、粘着性を有するゴム６０１と、板体６０２とからなる。ゴム６０１は、固定物６００の盤面３０１に対する固定をなすためのものである。板体６０２は、その上面と滑り部３１Ａとの間の摩擦係数を小さくする機能を持つ。板体６０２の上面はそれが可能なように滑らかな平面とされている。板体６０２は、また、滑り部３１Ａとの間の摩擦係数が小さくなるような素材、例えば金属や樹脂でできている。板体６０２の上面は、盤面３０１に向かって下る傾斜が与えられている。ゴム６０１は板体６０２にそのような傾斜を与えられるような形状となっている。
次いで、傾斜計１０の設置用脚３０の下面、より詳細には、可動部３１に設けられた滑り部３１Ａの下面を、固定物６００の板体６０２の上面に載せ傾斜計１０の重さをかける。そうすると、板体６０２の上面は盤面３０１に向かって下る傾斜が与えられており、且つ板体６０２の上面と滑り部３１Ａとの間の摩擦係数は小さいから、滑り部３１Ａは板体６０２の上を、盤面３０１に向かって、設置用脚３０の先端が盤面３０１に当接するまで滑っていく。これにより、ユーザが、傾斜計１０を盤面３０１に向かって押し込むような力を傾斜計１０に特にかけることなく、設置用脚３０の先端が盤面３０１に当接される。
ここから先は、釘３０２を用いて盤面３０１の傾斜角を測定する場合と同じである。設置用脚３０及び４０が盤面３０１に当接する２点によって、傾斜計１０の仮想軸の傾斜角が決定される。この場合も、作業者は、傾斜計１０が示す盤面３０１の傾斜角を見ながら、傾斜計１０から手を離した状態で、盤面３０１の傾斜角の調整など、必要な作業を行うことができる。
【符号の説明】
【００４６】
１０  傾斜計
１１  傾斜計本体
１２  対向面
１３  蓋
１４  テーブル状部材
１５  水準計
１６  切り込み
３０  設置用脚
３１  可動体
３２  空洞
３３  第１バネ
３４  窪み
３５  接面
４０  設置用脚
４１  ネジ穴
５０  第１樹脂体
５１  第１突起部
５２  溝
５３  第２突起部
６０  第２樹脂体
７０  固定板
７１  貫通孔
７２  板部
７３  固定用脚
８０  移動台
８１  差込口
８２  円柱状穴
９０  ネジ
１００  第２バネ
１１０  線状体
１１１  ループ
１１２  大ループ
１２０  固定板
１２１  板バネ部
１２３  フック
３００  遊技機
３０１  盤面
３０２  釘
３０３  仕切り板
４００  島
５００  枠
６００  固定物
【図１】
2014077705.tif 000003
【図２】
2014077705.tif 000004
【図３】
2014077705.tif 000005
【図４】
2014077705.tif 000006
【図５】
2014077705.tif 000007
【図６】
2014077705.tif 000008
【図７】
2014077705.tif 000009
【図８】
2014077705.tif 000010
【図９】
2014077705.tif 000011
【図１０】
2014077705.tif 000012
【図１１】
2014077705.tif 000013
【図１２】
2014077705.tif 000014
【図１３】
2014077705.tif 000015
【図１４】
2014077705.tif 000016
【図１５】
2014077705.tif 000017